(57)【要約】【課題】ホログラフ記録再生により、情報の記録再生を行う光記録媒体に関し、特定の領域に正確に記録・再生を行うことを可能にする光記憶媒体を提供すること。【解決手段】本発明の光記録媒体は、ホログラフィを利用して情報が記録されるホログラム記録層と、前記ホログラム記録層の少なくとも一方の主面に固定された遮光部材と、前記遮光部材の光透過状態を制御するための制御電極とを備え、前記遮光部材は、記録単位領域ごとに分割された複数のピクセルを備え、ピクセル単位でその光透過状態が制御可能である。【選択図】図１
2006235109.tif 000002
【特許請求の範囲】
【請求項１】
ホログラフィを利用して情報が記録されるホログラム記録層と、
前記ホログラム記録層の少なくとも一方の主面に固定された遮光部材と、
前記遮光部材の光透過状態を制御するための制御電極とを備え、
前記遮光部材は、記録単位領域ごとに分割された複数のピクセルを備え、ピクセル単位でその光透過状態が制御可能である光記録媒体。
【請求項２】
前記制御電極が非通電状態の場合、前記遮光部材が光不透過状態である請求項１に記載の媒体。
【請求項３】
前記ピクセルは、実質的に正六角形であり、最密に配置される請求項１に記載の媒体。
【請求項４】
前記遮光部材は、液晶パネル又はＭＥＭＳパネルからなる請求項１に記載の媒体。
【請求項５】
前記遮光部材は、ＭＥＭＳパネルからなり、光透過状態の制御は、絞りの開閉によって行う請求項１に記載の媒体。
【請求項６】
前記制御電極は、前記ホログラム記録層の側面に設けられる請求項１に記載の媒体。
【請求項７】
基板上に反射膜及び前記ホログラム記録層がこの順に形成され、前記遮光部材が、前記ホログラム記録層上に固定される請求項１に記載の媒体。
【請求項８】
前記ホログラム記録層の他方の主面に、シャッターを備える請求項１に記載の媒体。
【請求項９】
前記ホログラム記録層の他方の主面に、もう１つの遮光部材が固定される請求項１に記載の媒体。
【請求項１０】
前記ホログラム記録層の側面に遮光膜を備える請求項７〜９のいずれか１つに記載の媒体。
【請求項１１】
ホログラフィを利用して情報が記録されるホログラム記録層と、
前記ホログラム記録層の少なくとも一方の主面に固定された遮光部材と、
前記遮光部材の光透過状態を制御するための制御電極とを備え、
前記遮光部材は、記録単位領域ごとに分割された複数のピクセルを備え、ピクセル単位でその光透過状態が制御可能である光記録媒体に情報の記録を行う情報記録方法であって、
前記制御電極に所定の電圧を印加して前記遮光部材の少なくとも１つのピクセルを光透過可能にし、
この状態で光透過可能なピクセルを介して物体光を前記ホログラム記録層に照射し、同時に前記物体光が照射される位置に参照光を照射することによって、前記ピクセルに対応した領域に情報を記録する情報記録方法。
【請求項１２】
ホログラフィを利用して情報が記録されるホログラム記録層と、
前記ホログラム記録層の少なくとも一方の主面に固定された遮光部材と、
前記遮光部材の光透過状態を制御するための制御電極とを備え、
前記遮光部材は、記録単位領域ごとに分割された複数のピクセルを備え、ピクセル単位でその光透過状態が制御可能である光記録媒体の情報の再生を行う情報再生方法であって、
前記制御電極に所定の電圧を印加して前記遮光部材の少なくとも１つのピクセルを光透過可能にし、
この状態で前記ホログラム記録層に参照光を照射し、
光透過可能なピクセルを介して参照光を検出することによって、前記ピクセルに対応した領域に記録された情報の再生を行う情報再生方法。
【請求項１３】
ホログラフィを利用して情報が記録されるホログラム記録層と、
前記ホログラム記録層の少なくとも一方の主面に固定された遮光部材と、
前記遮光部材の光透過状態を制御するための制御電極とを備え、
前記遮光部材は、記録単位領域ごとに分割された複数のピクセルを備え、ピクセル単位でその光透過状態が制御可能である光記録媒体に情報の記録再生を行う情報記録再生装置であって、
前記光記録媒体を載置する載置部と、
前記制御電極に電気的に接続する接続部と、
前記接続部を介して前記遮光部材を電気的に制御する制御部と、
前記ホログラム記録層に物体光及び参照光を照射する光照射部とを備える情報記録再生装置。
【請求項１４】
前記ホログラム記録層に情報Ａを記録する場合に、前記制御部が、情報Ａを記録すべきピクセルの位置に対応する遮光部材の部分を光透過可能状態とする請求項１３に記載の装置。
【発明の詳細な説明】
【技術分野】
【０００１】
本発明は、ホログラフィの原理により、記録媒体に３次元的にディジタルデータを記録する光記録媒体、及びこの光記録媒体に情報を記録する方法、この光記録媒体の情報を再生する方法、及びその装置に関する。
【背景技術】
【０００２】
ホログラム記憶は、２次元のディジタルデータを参照光と物体光の２光束を用いて多重記録し、３次元的な記録を行う。多重記録方法としては、角度多重、波長多重、位相コード多重などが知られている。
【０００３】
従来、記録媒体上に高密度記録を行うために、特許文献１に記載の方法が知られている。
【０００４】
この文献では、複数の領域に分割された記録層の１つの領域のみに選択的に物体光及び参照光を照射することにより、その領域のみに情報を記録する方法を開示している。この方法では、異なる領域に異なる情報を記録することができ、媒体当たりの記録容量を大きくすることができる。
【０００５】
また、この方法で記録された情報は、記録媒体の上方に、再生したい領域の部分のみに開口部を有する空間光選択器を配置し、その状態で参照光を記録層に照射することにより、再生したい領域のみからの情報を得ることを可能にしている。
【特許文献１】特開２００４−４４３４号公報
【発明の開示】
【発明が解決しようとする課題】
【０００６】
上記方法では、情報の記録時には空間光選択器を用いず、再生時に空間光選択器を媒体の上方に配置しているので、媒体と空間光選択器との正確な位置合わせが困難である。両者の位置合わせが正確でない場合、隣の領域の情報を再生するなど、種々の問題が生じうる。
【０００７】
また、これ以外にも、以下の２つの課題がある。
第１に、ホログラフィックメモリーの記録材料候補であるフォトポリマーやフォトリフラクティブ材料は、光感応性材料であるため、カメラのフィルムのように自然光においても容易に感光し誤記録・データ破壊などが発生してしまう。そのため、可換媒体用途として想定する場合、感光を防ぐための装備が必須である。
第２に、ストレージシステムという観点において、媒体上の記録・再生位置を示すアドレス情報が必要となる。従来の光ディスク媒体で用いられているようなピットやウォブルを用いたアドレス情報を記録面と同一面上に配置する場合、集光した光によって数万ビットの情報を持つ二次元情報を記録するホログラム記録に対して、ピットやウォブルは同じ集光した光に対して1ビットの情報しか読み出すことができないため、アドレス情報を記録する領域面積の占める割合が相対的に大きくなり、実質的な記録領域が減少してしまう。
【０００８】
本発明は係る事情に鑑みてなされたものであり、特定の領域に正確に記録・再生を行うことを可能にする光記憶媒体を提供するものである。
【課題を解決するための手段及び発明の効果】
【０００９】
本発明の光記録媒体は、ホログラフィを利用して情報が記録されるホログラム記録層と、前記ホログラム記録層の少なくとも一方の主面に固定された遮光部材と、前記遮光部材の光透過状態を制御するための制御電極とを備え、前記遮光部材は、記録単位領域ごとに分割された複数のピクセルを備え、ピクセル単位でその光透過状態が制御可能な媒体である。
【００１０】
本発明の光記録媒体はピクセル単位で光透過状態が制御可能な遮光部材を備えるので、光透過可能にしたピクセルについてのみ情報の記録・再生を行うことができ、クロスライト・リードを防止することができる。
【００１１】
また、上記遮光部材は、ホログラム記録層上に固定されている。このため、光透過可能にしたピクセルの位置を精度よく特定することができ、記録・再生を行う位置を精度よく特定することができる。このため、アドレス情報領域を設けなくても、適切な位置で情報の記録・再生を行うことができ、実質的な記録領域の減少を抑えることができる。
【００１２】
また、少なくとも一方の主面に遮光部材が取り付けられているので、その他の面を適切に遮光することによって、ホログラム記録層の感光を効果的に防止することができる。
【００１３】
（各構成要素の説明等）
ここで、ホログラム記録層の主面に固定される遮光部材は、その下部のホログラム記録層へ光を通さない構造又は材料で形成された構造物であればよく、特に、液晶パネル又はＭＥＭＳ(Micro Electro-Mechanical System)パネルを用いることができる。
【００１４】
また、ホログラム記録層の感光防止の観点では、制御電極が非通電状態の場合、前記遮光部材が光不透過となることが好ましい。
【００１５】
さらに、正確な記録再生を行う観点から、遮光部材は、接着剤を用いてホログラム記録層の主面に密着固定することが好ましい。また、遮光部材とホログラム記録層とが固定保持されるように互いに係合する凸部と凹部からなる結合機構を備えてもよい。
【００１６】
また、この発明の記録媒体は、基板上に反射膜及び前記ホログラム記録層がこの順に形成され、さらに遮光部材を前記ホログラム記録層上に固定設置された媒体としてもよい。
【００１７】
また、クロスライト等の防止の観点からピクセルは、透過光のスポット形状に近い形状であることが好ましく、特に最密配置された実質的に正六角形状とすることが好ましい。
【００１８】
さらに、前記遮光部材は、ＭＥＭＳパネルからなるときは、絞りの開閉によって光透過状態を制御するようにすることが好ましい。
【００１９】
また、制御電極は、遮光部材に制御電圧を供給するためのものであり、光照射面とは異なる領域に設ければよいが、ホログラム記録層の側面に設けてもよい。
【００２０】
また、ホログラム記録層の他方の主面上にシャッターを備えてもよく、もう１つの遮光部材を固定設置してもよい。
【００２１】
さらに、感光防止の観点から、ホログラム記録層の側面に遮光膜を備えることが好ましい。
【００２２】
また、この発明は、ホログラフィを利用して情報が記録されるホログラム記録層と、前記ホログラム記録層の少なくとも一方の主面に固定された遮光部材と、前記遮光部材の光透過状態を制御するための制御電極とを備え、前記遮光部材は、記録単位領域ごとに分割された複数のピクセルを備え、ピクセル単位でその光透過状態が制御可能である光記録媒体に情報の記録を行う情報記録方法であって、前記制御電極に所定の電圧を印加して前記遮光部材の少なくとも１つのピクセルを光透過可能にし、この状態で光透過可能なピクセルを介して物体光を前記ホログラム記録層に照射し、同時に前記物体光が照射される位置に参照光を照射することによって、前記ピクセルに対応した領域に情報を記録する情報記録方法を提供するものである。
【００２３】
また、この発明は、ホログラフィを利用して情報が記録されるホログラム記録層と、前記ホログラム記録層の少なくとも一方の主面に固定された遮光部材と、前記遮光部材の光透過状態を制御するための制御電極とを備え、前記遮光部材は、記録単位領域ごとに分割された複数のピクセルを備え、ピクセル単位でその光透過状態が制御可能である光記録媒体の情報の再生を行う情報再生方法であって、前記制御電極に所定の電圧を印加して前記遮光部材の少なくとも１つのピクセルを光透過可能にし、この状態で前記ホログラム記録層に参照光を照射し、光透過可能なピクセルを介して参照光を検出することによって、前記ピクセルに対応した領域に記録された情報の再生を行う情報再生方法を提供するものである。
【００２４】
また、この発明は、ホログラフィを利用して情報が記録されるホログラム記録層と、前記ホログラム記録層の少なくとも一方の主面に固定された遮光部材と、前記遮光部材の光透過状態を制御するための制御電極とを備え、前記遮光部材は、記録単位領域ごとに分割された複数のピクセルを備え、ピクセル単位でその光透過状態が制御可能である光記録媒体に情報の記録再生を行う情報記録再生装置であって、前記光記録媒体を載置する載置部と、前記制御電極に電気的に接続する接続部と、前記接続部を介して前記遮光部材を電気的に制御する制御部と、前記ホログラム記録層に物体光及び参照光を照射する光照射部とを備える情報記録再生装置を提供するものである。この装置において、ホログラム記録層に情報Ａを記録する場合には、前記制御部が、情報Ａを記録すべきピクセルの位置に対応する遮光部材の部分を光透過可能状態とすることが好ましい。
【発明を実施するための最良の形態】
【００２５】
以下、本発明の実施形態を図面を用いて説明する。図面は、説明の便宜のために用いられるものであり、本発明の範囲は、図面に示す実施形態に限定されない。
【００２６】
１．第１実施形態
図１は、第１実施形態の光記録媒体の構造を示す。図１（ａ）は平面図であり、（ｂ）は、断面図である。図１に示した本実施形態の媒体１は、基板２上に、反射膜３、ホログラム記録層５、遮光部材７、保護膜９をこの順に形成したものである。遮光部材７には、複数ピクセル７ａに分割された領域を有する液晶パネルを用いる。液晶パネル７は、接着剤などで固定され、保護膜９で保護されている。この媒体の一側面には、液晶パネル７の光透過状態（光透過可能状態であるか光不透過状態）を電気的に制御するための制御電極１１を備える。この制御電極１１は、後述する光記録再生装置内の制御部に電気的に接続され、制御部が、液晶パネル７をピクセル単位で制御する。この媒体の残りの側面は、ホログラム記録層５が感光するのを防止するための遮光膜１３で覆われている。遮光膜１３は、例えば、カーボン粒子などの遮光性材料を含んだ膜やＡＢＳ樹脂膜を用いることができる。
【００２７】
ホログラム記録層５は、フォトポリマーやフォトリフラクティブ材料と言ったホログラム記録材料により構成される。
【００２８】
液晶パネル７は、ノーマリーブラック型(無通電時は非透過)であり、装置から外されたとき（電気が与えられないとき）は全てのピクセル７ａが光不透過状態となる。この状態では、外部からの光が遮断されるため、ホログラム記録層５は感光されない。
【００２９】
図２（（ａ），（ｂ）とも断面図）に、ノーマリーブラック型となる液晶パネルの例を示す。図２（ａ）は、ＶＡ（Vertically Aligned）方式であり、（ｂ）は、ＴＮ(Twisted Nematic)方式である。何れの方式の場合でも、基本的な構成は同じであり、偏光板２１ａと透過層２３ａと電極及び配向膜２５ａとからなる下部パネル２７ａと、偏光板２１ｂと透過層２３ｂと電極及び配向膜２５ｂとからなる上部パネル２７ｂの間に液晶分子２９が封入されている。
【００３０】
ＶＡ方式では、偏光板２１ａと偏光板２１ｂを互いに直交に配置する。この配置では、電界ＯＦＦ時には、液晶は垂直方向に配列されるので、液晶によって入射光の偏光方向が変化せず、光は透過されない。一方、電界ＯＮ時には、液晶は水平方向に配列されるので、液晶によって入射光の偏光方向が変化し、光は透過される。従って、上記構成によって、ノーマリーブラック型の液晶パネルとなる。
【００３１】
ＴＮ方式では、偏光板２１ａと偏光板２１ｂを互いに同方向に配置する。この配置では、電界ＯＦＦ時には、液晶分子がねじれの状態となり、液晶によって入射光の偏光方向が変化し、光は透過されない。一方、電界ＯＮ時には、液晶は垂直方向に配列され、液晶によって入射光の偏光方向が変化せず、光は透過される。従って、上記構成によっても、ノーマリーブラック型の液晶パネルとなる。
【００３２】
次に、この媒体の記録再生方法について、図３を用いて説明する。図３（ａ）は、本実施形態の記録再生装置３０の構成図であり、（ｂ）は、媒体１の平面図である。
【００３３】
光源３１から出射されたレーザー光３３は、コリメータレンズ３５で平行光にされた後、ビームスプリッタ３７によって２つの光３３ａ，３３ｂに分岐される。一方の光３３ａは、ビームエキスパンダ３９によってビーム径が拡大された後、空間光変調器４１によって所定の情報を有する物体光３３ｃに変換される。物体光３３ｃは、ビームスプリッタ４２をそのまま通過し、対物レンズ４３によって集光され、後述する制御部５５によって光透過可能にされた液晶パネル７のピクセル７ｂを介して、媒体１のホログラム記録層５に照射される。他方の光３３ｂは、ミラー４５ａ，４５ｂによって、ガルバノミラー４７に導かれ、ガルバノミラー４７で反射され、一対のレンズ４９によって、参照光として物体光３３ｃと同じ位置に照射される。ガルバノミラー４７は、紙面に垂直な軸４７ａを中心に回転し、光３３ｂの反射角度を変化させる。光３３ｂの反射角度が変化した場合でも、一対のレンズ４９の作用により、光３３ｂは、入射角が異なる参照光として、ほぼ同じ位置に照射される。参照光３３ｂの入射角度が異なると、異なる干渉縞パターンが媒体１に記録されるので、ガルバノミラーの角度を変化させることによって、角度多重記録が実現される。
【００３４】
再生の際には、空間光変調器４１によって光３３ａを遮断し（又は、別途設けたシャッターなどで光３３ａを遮断し）、参照光３３ｂのみを媒体１に照射する。媒体１の反射層で反射した光が、ホログラム記録層５の干渉縞パターンに照射されると、この光は、干渉縞パターンにより回折され、再生光３３ｄが生成される。再生光３３ｄは、媒体１から対物レンズ４３に向かって進み、ビームスプリッタ４２で反射されて、ＣＣＤなどの光検出器５１で検出され、情報の再生が行われる。
【００３５】
媒体１は、載置部５２に載置され、制御電極１１が、接続電極５３ａを有する接続部５３を介して、制御部５５に電気的に接続される。制御部５５は、図３（ｂ）に示すように、記録対象のピクセル７ｂを光透過可能にする。この状態で、光透過可能なピクセル７ｂを介して物体光３３ｃをホログラム記録層５に照射する。この場合、ピクセル７ｂに対応した領域にのみ情報を記録することが可能になり、クロスライト（隣のピクセル直下のホログラム記録層５まで感光させること）防止することができる。また、情報の再生に関しては、光透過可能なピクセル７ｂを介して参照光を検出することによって、ピクセル７ｂに対応した領域に記録された情報のみを再生することができ、クロスリード（隣のピクセル直下のホログラム記録層５に記録された情報まで再生すること）を防止することができる。また、本実施形態では、液晶パネル７がホログラム記録層５に固定されているので、液晶パネル７のピクセル制御により、記録・再生が行われる位置を正確に特定することができる。
【００３６】
点線で囲まれた光照射部５０の位置は、固定されており、載置部５２は、図示しない駆動部に駆動されてＸＹ方向（Ｘ方向は、図中矢印の方向であり、Ｙ方向は、紙面に垂直な方向である。）に移動可能に構成されている。このため、例えば、液晶パネル７のＸ方向に並ぶ各ピクセルに順次、情報を記録する際には、又は、順次、情報を再生する場合には、載置部５２を１ピクセル分、右に移動させ、光透過可能なピクセルを１ピクセル分、左に移動させ、この状態で情報の記録又は再生を行うことを繰り返す。
【００３７】
媒体１と記録再生装置３０との間で正確な位置合わせを行うために、載置部５２を移動させる度に情報の記録・再生前に載置部の位置補正を行う。この位置補正について図４を用いて説明する。図４は、図３から液晶パネル７の一部と光検出器５１の部分のみを抜き出して模式化した図である。液晶パネル７は、ピクセル７ｂが光透過可能になっており、光検出器５１は、４つの小領域５１ａに分割されている。参照光３３ｂをホログラム記録層５に照射すると、ピクセル７ｂより再生光３３ｄが出射され、再生光３３ｄは、光検出器５１に入射する。媒体１と記録再生装置３０の間の位置合わせが正確でない場合、４つの小領域５１ａに入射する光量が互いに異なる。この場合、４つの小領域の入射光量が等しくなるように載置部５２の位置を調整する。なお、再生光３３ｄは、ピクセル７ｂの縁で回折され、複数の回折光５７ａ，５７ｂとして検出される。
【００３８】
ここまで、特定の実施形態を例にとって説明してきたが、本発明は、この実施形態に限定されるものではなく、種々の変形が可能である。
【００３９】
図１では、ピクセル７ａは正方形であったが、図５に示すように、物体光３３ｃのピームスポット５９が通常は円形なので、斜線部分に示す領域が使用されず、無駄な領域となっている。そこで、図６（ａ）に示すように、ピクセル７ａの形状を実質的に正六角形とし、最密に配置することが好ましい。この場合、図６（ｂ）に示すように、斜線部分に示す不使用の領域が減少していることが分かる。なお、「実質的に正六角形」には、完全な正六角形のみならず、例えば、正六角形を縦長又は横長等に変形したものも含まれる。なお、その他、五角形でも、六角形以上（例えば、八角形）でもよい。
【００４０】
遮光部材７は、ピクセル単位で光透過状態を制御できるものであればよく、ＭＥＭＳパネルなどであってもよい。ＭＥＭＳパネルでのピクセルの一例は、図７に示すものであり、この場合、光透過状態の制御は、絞りの開閉によって行う。
【００４１】
多重化方式は、角度多重以外にも、波長多重や位相コード多重などであってもよい。波長多重を行う場合は、例えば、それぞれ異なる波長のレーザー光を出射する複数の光源を準備し、物体光の光源は固定し、参照光の波長を順次変更することによって、多重化を行う。位相コード多重を行う場合は、参照光を予め位相変調器を用いて変調しておき、複数種の変調パターンを作成し、変調パターンを順次変更することによって多重化を行う。変調パターンの一例は、図８に示すものである。この場合、４種類の変調パターンを用いることにより、４重の多重化が可能になる。
【００４２】
上記実施形態では、載置部５２を移動させて、媒体１と記録再生装置３０の間の位置合わせを行っていたが、載置部５２を固定して（すなわち、媒体１を動かさないで）、点線で囲まれた光照射部５０全体を移動させる構成にしてもよい。光照射部は、モーターなどを用いて移動させることができる。また、ミラーやビームスプリッタを適宜組み合わせて、光照射部５０の一部のみを移動させる構成にしてもよい。
制御電極１１は、媒体１の主面上に（例えば、主面の端部に）形成してもよい。遮光膜１３を設ける代わりに、媒体１全体をカートリッジなどに収容して遮光してもよい。この場合、入射面にはシャッターなどを設けておいてもよい。シャッターは、機械的に開閉可能な何れの構造のものであってもよい。
【００４３】
２．第２実施形態
図９は、第２実施形態の光記録媒体の構造を示す。図９（ａ）は平面図であり、（ｂ）は、断面図であり、（ｃ）は、裏面図である。この媒体１は、透光性基板６１上にホログラム記録層５が形成され、ホログラム記録層５上に遮光部材として、複数ピクセル７ａを有する液晶パネル７が接着剤などで固定されている。また、基板６１裏面に、遮光性を有するシャッター６３が設けられている。シャッター６３は、第１部材６３ａ及び第２部材６３ｂに分割されており、それぞれが図９（ｃ）の矢印の方向に移動可能である。第１部材６３ａのある領域を開くときは、第１部材６３ａを下方向に移動させて第２部材６３ｂに重ねる。第２部材についても同様である。反対に、第２部材６３ｂのある領域を開くときは、第２部材６３ｂを上方向に移動させて第１部材６３ａに重ねる。その他の構成は、第１実施形態と同じである。
【００４４】
次に、この媒体の記録再生方法について、図１０を用いて説明する。図１０は、本実施形態の記録再生装置３０の構成図である。
【００４５】
本実施形態では、透過型の媒体に情報の記録・再生を行う。情報の記録については、反射型（第１実施形態）の場合と同じである。透過型媒体では、情報の再生の際、下側から参照光を照射する必要がある。このため、本実施形態では、装置３０は、ミラー６５ａ，６５ｂ，ガルバノミラー６７，一対のレンズ６９をさらに備える。記録時には、光３３ｂは、ミラー４５ａで反射され、第１実施形態と同じ光路を通って媒体１に照射される。再生時には、ミラー４５ａが光路外に移動させられる。このため、光３３ｂは、ミラー４５ａで反射されず、そのまま直進して、ミラー６５ａ，６５ｂで反射され、さらにガルバノミラー６７で反射され、一対のレンズ６９を通って媒体１に照射される。その後、再生光３３ｄが、対物レンズ４３を通り、ビームスプリッタ４２で反射され、光検出器５１で検出される。
【００４６】
媒体１は、載置部５２に載置されるが、下側からの光を媒体１に照射させるために、載置部５２は、透光性を有しているか、開口部を有している。また、装置３０は、シャッター６３を開閉する機構を有している。これ以外の点については、第１実施形態と共通する。
【００４７】
シャッター６３は、図９（ｃ）に示したものに限定されず、機械的に開閉可能な何れの構造のものであってもよい。シャッター６３は、３つ以上に分割されたものであってもよい。シャッター６３は、アコーディーオンのように折り畳み式のものであってもよい。また、図７に示す絞りのような構造であってもよい。
【００４８】
別の実施形態では、シャッター６３の代わりに、図１１に示すように、ピクセル単位で制御可能な遮光部材（液晶パネル、ＭＥＭＳなど）７１を備えてもよい。すなわち、この場合、ホログラム記録層５の両面に遮光部材が設けられることになる。この媒体の記録方法は、シャッターを有する媒体の場合と同じである。また、再生方法は、基本的に同じであるが、参照光を照射する際に、遮光部材７１を制御して、再生対象のピクセルを光透過可能状態にしておく。
ホログラム記録層５の両面の遮光部材のピクセル数・サイズは、互いに異なっていてもよく、例えば、図１２に示すように、裏面の遮光部材７２のピクセル７２ａのサイズを、表面の遮光部材７のピクセル７ａのサイズよりも大きくすることが好ましい。裏面側は、参照光を全面に照射すればよいため、遮光部材７２のピクセルサイズを大きくしても、記録・再生位置の精度は低下しない。また、この場合、遮光部材７２を制御するための電極の数を減らすことができ、製造コストの低減につながる。また、図１２の構成では、表面と裏面の遮光部材を互いに正確に位置合わせする必要がないので、製造性が上がり、歩留まりの向上につながる。
【００４９】
３．第３実施形態
図１３は、第３実施形態の光記録媒体の構造を示す。図１３（ａ）は平面図であり、（ｂ）は、断面図である。
【００５０】
この媒体１は、層状にデータホログラム記録層７４とデータ保護層７５を交互に配置する構成になっており、上面に液晶パネル７、側面の一方にも液晶パネル７７を取り付けている。その他の構成は、第１実施形態と同じである。
【００５１】
次に、この媒体の記録再生方法について、図１４を用いて説明する。図１４は、本実施形態の記録再生装置３０の構成図である。
【００５２】
本実施形態では、参照光の照射方法が第１実施形態と主に異なっている。光３３ｂは、ミラー４５ａ，４５ｂで反射された後、レンズ８１によって集光されて、媒体１の側面から記録層７４に照射される。複数の記録層７４にそれぞれ参照光を照射するために、ミラー４５ｂを上下移動させる駆動装置（レンズアクチュエータ）（図示せず）が設けられている。また、媒体１の複数の記録層７４にそれぞれ物体光の焦点を合わせる必要があるので、対物レンズ４３を上下に移動させる駆動装置が設けられている。
【００５３】
この媒体を用いて、記録時には指定された平面位置のピクセル７ａのみ光を光透過可能状態とし物体光３３ｃは上面から照射し、側面から記録を行う層のピクセル７７ａのみ光透過可能状態として参照光３３ｂを照射する。再生時は、側面から再生を行う層のピクセル７７ａのみ光透過可能状態として参照光３３ｂを照射し、再生を行う上面の平面位置のピクセル７ａを光透過可能状態として読み出す。記録再生アドレス制御は、媒体平面のアドレス情報と、参照光を与える層アドレス情報により管理する。
【００５４】
本実施形態では、多層の記録層に情報を記録することができるので、単位面積辺りの記憶密度を高めることができる。
【００５５】
別の実施形態では、参照光の光路中に位相変調器を備え、位相コード多重記録を行ってもよい。この場合、多層記録と多重記録を両立することができ、極めて高い記録密度を達成できる。
【００５６】
４．第４実施形態  
図１５は、第４実施形態の光記録媒体の構造を示す。図１５（ａ）は平面図であり、（ｂ）は、断面図である。この媒体１は、ディスク形状であり、中央のチャッキング部８３に凸状の制御電極１１が設けられており、遮光膜１３がディスクの外周全体を覆っている。その他の構成は、第１実施形態と同じである。
図１６は、この媒体１を取り付けるためのスピンドル８５の構造を示す。図１６（ａ）は平面図であり、（ｂ）は、断面図である。スピンドル８５のチャッキング部には、媒体１の凸状制御電極１１をはめ込むための凹状接続電極５３ａが設けられている。スピンドル８５は、第１実施形態と同様の記録再生装置３０（図１を参照）に組み込まれており、凹状接続電極５３ａは、記録再生装置３０の制御部５５に電気的に接続されている。
本実施形態の媒体１の記録再生を行う際には、まず、媒体１の凸状制御電極１１がスピンドル８５の凹状接続電極５３ａに電気的に接続されるように、媒体１をスピンドル８５に取り付ける。媒体１の液晶パネル７は、電極１１，５３ａを介して、制御部５５によって、ピクセル単位で制御される。制御部５５は、記録又は再生対象のピクセルのみ光透過可能にし、第１実施形態と同様の方法で情報の記録又は再生が行われる。
図１５には、反射型の構造を示したが、第２実施形態のように透過型の構造であってもよい。また、第３実施形態のように、媒体の両面に遮光部材を備えるものであってもよい。また、制御電極１１と接続電極５３ａの形状は、種々の変形が可能であり、例えば、制御電極を凹状にして、接続電極を凸状にしてもよい。
【図面の簡単な説明】
【００５７】
【図１】第１実施形態の光記憶媒体の平面図、断面図である。
【図２】図１の液晶パネルの具体的構成を示す断面図である。
【図３】第１実施形態の光記憶媒体の記録再生装置の構成図である。
【図４】媒体と装置の間の位置補正を行う原理を説明するための図である。
【図５】１ピクセルの形状と、ビームスポット形状とを比較する図である。
【図６】ピクセル形状の別形状を示す図である。
【図７】ＭＥＭＳパネルのピクセルの一例を示す。
【図８】位相コード変調パターンの一例を示す。
【図９】第２実施形態の光記憶媒体の平面図、断面図、裏面図である。
【図１０】第２実施形態の光記憶媒体の記録再生装置の構成図である。
【図１１】別の実施形態の光記憶媒体の平面図、断面図、裏面図である。
【図１２】さらに別の実施形態の光記憶媒体の平面図、断面図、裏面図である。
【図１３】第３実施形態の光記憶媒体の平面図、断面図である。
【図１４】第３実施形態の光記憶媒体の記録再生装置の構成図である。
【図１５】第４実施形態の光記憶媒体の平面図、断面図である。
【図１６】第４実施形態の光記憶媒体用スピンドルの平面図、断面図である。
【符号の説明】
【００５８】
１：媒体  ２：基板  ３：反射膜  ５：ホログラム記録層  ７，７１，７２：液晶パネル  ７ａ，７１ａ，７２ａ：ピクセル  ９，７３：保護膜  １１：制御電極  １３：遮光膜  ２１ａ，ｂ：偏光板  ２３ａ，ｂ：透過層  ２５ａ，ｂ：電極及び配向膜  ２７ａ：下部パネル  ２７ｂ：上部パネル  ２９：液晶分子  ３０：情報記録再生装置  ３１：光源  ３３：レーザー光  ３３ａ，ｂ：分岐された光  ３５：コリメータレンズ  ３７：ビームスプリッタ  ３９：ビームエキスパンダ  ４１：空間光変調器  ４２：ビームスプリッタ  ４３：対物レンズ  ４５ａ，４５ｂ，６５ａ，ｂ：ミラー  ４７，６７：ガルバノミラー  ４７ａ，６７ａ：軸  ４９，６９：一対のレンズ  ５０：光照射部  ５１：光検出器  ５２：載置部  ５３：接続部  ５３ａ：接続電極  ５５：制御部  ５７ａ，ｂ：回折光  ５９：ビームスポット  ６１：透光性基板  ６３：シャッター  ６５ａ，ｂ：ミラー  ７４：ホログラム記録層  ７５：保護層  ７７：液晶パネル  ７９：保護膜  ８１：レンズ  ８３，８７：チャッキング部  ８５：スピンドル
【図１】
2006235109.tif 000003
【図２】
2006235109.tif 000004
【図３】
2006235109.tif 000005
【図４】
2006235109.tif 000006
【図５】
2006235109.tif 000007
【図６】
2006235109.tif 000008
【図７】
2006235109.tif 000009
【図８】
2006235109.tif 000010
【図９】
2006235109.tif 000011
【図１０】
2006235109.tif 000012
【図１１】
2006235109.tif 000013
【図１２】
2006235109.tif 000014
【図１３】
2006235109.tif 000015
【図１４】
2006235109.tif 000016
【図１５】
2006235109.tif 000017
【図１６】
2006235109.tif 000018